(57)【要約】      （修正有）【課題】様々な大きさのペット容器に汎用可能な漏斗構造をもつペット容器用着脱式漏斗を提供する。【解決手段】ペット容器の入口部に着脱され、異なる規格のペット容器に汎用にねじ締結可能にそれぞれ異なる口径を持つ第１雌ねじ部１０ａ及び第２雌ねじ部１０ｂが内周面に形成された容器締結具１０と前記容器締結具１０の上部に着脱可能に下段部にガイド突起が突出形成された漏斗本体２０と前記ガイド突起との着脱のために容器締結具１０に“Ｌ”状に形成されたガイド溝１２と前記漏斗本体２０に形成された第１空気流通溝２１と前記第１空気流通溝２１と対応する容器締結具１０の内壁面に形成された第２空気流通溝１１とを含むことを特徴とする。【選択図】図４
2020036585.tif 000002
【特許請求の範囲】
【請求項１】
ペット容器（１００）の入口部に着脱され、異なる規格のペット容器（１００）に汎用にねじ締結可能にそれぞれ異なる口径を持つ第１雌ねじ部（１０ａ）及び第２雌ねじ部（１０ｂ）が内周面に形成された容器締結具（１０）と、
前記容器締結具（１０）の上部に着脱可能に下段部にガイド突起（２２）が突出形成された漏斗本体（２０）と、
前記ガイド突起（２２）との着脱のために容器締結具（１０）に“Ｌ”状に形成されたガイド溝（１２）と、
前記漏斗本体（２０）に形成された第１空気流通溝（２１）と、
前記第１空気流通溝（２１）と対応する容器締結具（１０）の内壁面に形成された第２空気流通溝（１１）と、
前記第１空気流通溝（２１）の上部に外部異物の流入を防止するためにガイド突起（２２）と同じ高さで設けられた流入防止突部（２１ａ）と、
を含むことを特徴とするペット容器用着脱式漏斗。
【請求項２】
前記第１空気流通溝（２１）は漏斗本体（２０）のネック部分に形成され、異物による狭窄の防止及び掃除の容易さのために一側が開放された形状を有することを特徴とする、請求項１に記載のペット容器用着脱式漏斗。
【請求項３】
前記ガイド溝（１２）は、直角に曲がる中間部位に離脱防止突部（１２ａ）が湾曲状に突出形成され、ガイド突起（２２）の結合状態が安定して保持されることを特徴とする、請求項１に記載のペット容器用着脱式漏斗。
【請求項４】
前記漏斗本体（２０）の上面には注入物質との摩擦による騒音の低減及び衝撃の緩和のための緩衝コーティング層（２０ａ）が形成され、前記緩衝コーティング層（２０ａ）はエポキシ樹脂、シリカガラス、ウレタン粉末、カオリン、カルボキシビニルポリマーの混合組成を含むことを特徴とする、請求項１に記載のペット容器用着脱式漏斗。
【発明の詳細な説明】
【技術分野】
【０００１】
本発明は、ペット容器用着脱式漏斗に関するものであり、より詳細には、ペット容器への穀物又は液体類の保管をより容易にする漏斗構造体に関する。
【背景技術】
【０００２】
近年、穀物や愛犬の飼料といった密封保管が必要な食品などを瓶の容器に入れて保管することが増えており、食品を容器に入れるために漏斗が使用されている。
【０００３】
このような漏斗は、通常、上端部から下端部に向かって所定の角度でテーパーした形態の胴体部と、胴体部の下部に一定の高さを有する吐出部（本発明の結合部に相当）を有する。
【０００４】
すなわち、胴体部に穀物や飲料などの注入物が流入する空間を確保し、吐出部は容器の入口部分に通に嵌められて連結され、注入物を通過させることができる。
【０００５】
漏斗と容器とを固定するためには、漏斗と容器の側面を手に掴んで固定する方法を用いるか、或いは漏斗の側面に取手を付けて漏斗を固定する方法を用いてきた。
【０００６】
しかし、既存の漏斗は、吐出部を容器の入口の内側に嵌めて使用するため、漏斗と容器が固定されず、注入物を注入する時、漏斗が容器に対して傾いたり、漏斗が容器に固定されず、容器から離脱したりする問題点があった。
【０００７】
またこのように漏斗と容器との結合が十分でないために、容器と漏斗との境界に隙間が多くでき、注入物が液体の場合は、境界の隙間から注入物が漏れ出るという欠点があった。
【０００８】
したがって、容器に漏斗を結合して使用する場合には、使用者が漏斗を容器と共に片手で固定し、注入物（米、豆、飼料など）を残りの手で高く持ち上げて注入しなければならず、漏斗の使用が不便であり、固定が容易でない問題点があった。
【０００９】
一方、このような問題を改善するための従来技術として、米国特許出願公開第２０１６／０２５７５４７号明細書では、着脱可能な漏斗に関する技術が開示されたことがある。
【００１０】
すなわち、上記の従来技術では、容器にねじ締結可能なようにねじ山が形成されたカラーと、該カラーと着脱可能な漏斗の技術構成が開示されている。
【００１１】
しかしながら、ペット容器は、ミネラルウォーター及び炭酸飲料などのような内容物によって入口部が異なるサイズで製作されるため、上記の従来技術では、各サイズに合うカラーをそれぞれ具備しなければならない不便があった。
【００１２】
また、上記の従来技術では、容器内の空気を排出するための通風ポートが形成されているが、通気口チャンネルが漏斗の内部を貫通する一定の長さの通孔形態となっているため、ポート内部の汚染発生時に掃除し難く、衛生的な管理が不可能であり、異物の流入によって通風ポートの内部が塞がる閉塞現象が発生するなどの問題点があった。
【先行技術文献】
【特許文献】
【００１３】
【特許文献１】米国特許出願公開第２０１６／０２５７５４７号明細書
【発明の概要】
【発明が解決しようとする課題】
【００１４】
本発明は、上述した従来技術における問題点を改善するために提案されたものであり、様々な大きさのペット容器に汎用可能な漏斗構造体を提供することによって、一つの漏斗を様々な規格のペット容器に使用可能にするとともに、円滑な空気の流通を可能にすることに目的がある。
【課題を解決するための手段】
【００１５】
上記の目的を達成するために本発明は、ペット容器の入口部に着脱され、異なる規格のペット容器に汎用にねじ締結可能なようにそれぞれ異なる口径を持つ第１雌ねじ部及び第２雌ねじ部が内周面に形成された容器締結具と；前記容器締結具の上部に着脱可能に下端部にガイド突起が突出形成された漏斗本体と；前記ガイド突起との着脱のために容器締結具に“Ｌ”状に形成されたガイド溝と；前記漏斗本体に形成された第１空気流通溝と；前記第１空気流通溝と対応する容器締結具の内壁面に形成された第２空気流通溝と；を含むことを特徴とする。
【００１６】
また、前記第１空気流通溝は漏斗本体のネック部分に形成され、異物による狭窄を防止するために一側が開放された形状を有することを特徴とする。
【発明の効果】
【００１７】
このような本発明の漏斗は、様々な大きさのペット容器に使用可能であり、穀物類だけでなく液体類のペット容器内への注入をより容易で円滑にすることができる。
【００１８】
特に、空気流通溝を開放型構造にすることによって、衛生的な管理が可能であると共に、異物流入による汚染発生及び閉塞現象が防止されるという利点がある。
【図面の簡単な説明】
【００１９】
【図１】本発明の一実施例に係るペット容器用漏斗の分離状態の斜視図である。
【図２】本発明におけるペット容器用漏斗の分離状態の側面図である。
【図３】図２におけるＡ部の拡大図である。
【図４】本発明のペット容器用漏斗の分離状態の断面図である。
【図５】本発明における漏斗用容器締結具部品の平面図及び底面図である。
【図６】本発明における漏斗本体の底部斜視図である。
【図７】本発明における容器締結具がペット容器に結合された状態の斜視図である。
【図８】本発明における漏斗構造体のペット容器への結合過程状態の側面図である。
【図９】本発明における漏斗構造体のペット容器への結合過程状態の側面図である。
【図１０】本発明における漏斗締結部の断面構造図である。
【図１１】本発明における漏斗締結部の汎用使用状態の断面構造図である。
【図１２】本発明の他の実施例に係る漏斗本体の断面構造図である。
【発明を実施するための形態】
【００２０】
以下、本発明の具体的な実施例を、添付の図面を参照して詳しく説明する。
【００２１】
まず、本発明の一実施例に係るペット容器用漏斗構造体の構造を、図１〜図１０を参照して説明すると、次の通りである。
【００２２】
本実施例による漏斗構造体は、ペット容器１００の入口部にねじ締結されるものであり、異なる規格の入口部を有する２種類のペット容器１００に汎用にねじ締結可能なように別個の口径を持つ第１雌ねじ部１０ａ及び第２雌ねじ部１０ｂが内周面に形成された容器締結具１０と、該容器締結具１０と着脱可能な漏斗本体２０とで構成される。
【００２３】
そして、漏斗本体２０と容器締結具１０との相互着脱のための着脱手段としては、漏斗本体２０の下段部にガイド突起２２が両側に対称に突出して設けられ、該ガイド突起２２と対応する容器締結具１０の両側には、垂直溝と水平溝とが直角状につながって‘Ｌ’形状を有するガイド溝１２が形成される。
【００２４】
このとき、ガイド溝１２は直角に曲がる中間部位に、図３に示すように、離脱防止突部１２ａが湾曲状に突設形成され、ガイド突起２２の結合状態を安定して保持させ得る。
【００２５】
一方、漏斗本体２０には第１空気流通溝２１が設けられ、これに対応する容器締結具１０の内壁面には第２空気流通溝１１が設けられ、これによって空気の流通が可能になる。
【００２６】
このとき、第１空気流通溝２１は、漏斗本体２０の下端ネック部分に設けられ、異物による狭窄（閉塞）を防止するために開放された形状となっている。
【００２７】
また、第１空気流通溝２１の上部には外部異物の流入を防止するための流入防止突部２１ａが、ガイド突起２２と同じ高さで設けられる。このような流入防止突部２１ａの構成は、容器締結具１０の上段内壁面に近接することによって、使用過程で外部異物が空気流通溝２１から流入することを防止しながらも内部空気の流出には支障を与えない。
【００２８】
一方、容器締結具１０の内壁面には着座突段１３が突出して設けられ、前記漏斗本体２０の下段部には着座突段１３に係止されるように係止突部２３が設けられている。
【００２９】
そして、漏斗本体２０の下段部にはガイド部２４が下方に延びて形成され、容器締結具１０との結合時に、容器締結具１０の着座突段１３よりも下方に一定深さ突出するようになる。これによって、注入される液状の物質がペット容器１００の壁面に沿って流れずに下方に落下するとともに、第１及び第２空気流通溝２１，１１による空気の排出空間が確保され得る。
【００３０】
このような構成を有する本発明の漏斗構造体の使用による作用効果を、図７〜図１０を用いて説明する。
【００３１】
まず、ペット容器１００の入口部に容器締結具１０をねじ締結させ、容器締結具１０に漏斗本体２０を組み立てて締結する。
【００３２】
すなわち、この時には漏斗本体２０のガイド突起２２を容器締結具１０のガイド溝１２に嵌めて回すと、漏斗本体２０が結合される。
【００３３】
この時、ガイド溝１２に締結されたガイド突起２２は離脱防止突部１２ａによって安定した締結状態が保持され得る。
【００３４】
そして、前記締結のための回転動作により、漏斗本体２０に形成された第１空気流通溝２１と容器締結具１０に形成された第２空気流通溝１１とが一致するようになり、内部空気の外部流通が可能な状態となる。
【００３５】
このように締結作業が完了した状態で、ペット容器１００内に保管しようとする物質（穀物、液体類など）を漏斗本体２０に注ぐと、より容易にペット容器１００内へ注入される。
【００３６】
この時、水や飲物などの液体類の注入過程でペット容器１００の内部空気が第１及び第２空気流通溝２１，１１から外部に排出されるので、注入物質の逆流発生が防止されるとともに、より速やかな注入作業が可能になる。
【００３７】
特に、本発明では、第２空気流通溝２１が漏斗本体２０のネック部分に開放された形態で形成されているため、異物挟まりの発生が防止され、且つ洗浄可能なため衛生的な管理ができる。また、容器締結具１０と結合した状態では流入防止突部２１ａによって外部異物の流入が遮断される。
【００３８】
また、ペット容器１０の規格及び内容物の種類（ミネラルウォーター、炭酸飲料など）によって入口部の大きさが異なるが、本発明では、図１１に示すように、容器締結具１０には、異なる口径の２種類の第１雌ねじ部１０ａ及び第２雌ねじ部１０ｂが内周面に形成されているので、汎用に締結して使用可能な利点がある。
【００３９】
一方、図１２は、本発明の他の実施例に係る構成を示す図であり、漏斗本体２０の上面には、注入物質との摩擦による騒音の低減及び衝撃の緩和のための緩衝コーティング層２０ａが形成される。このとき、緩衝コーティング層２０ａは、エポキシ樹脂３０〜５０重量％、シリカガラス２０〜４０重量％、ウレタン粉末１０〜３０重量％、カオリン１０〜３０重量％、カルボキシビニルポリマー１〜２０重量％の混合組成にした。
【００４０】
このように構成すると、穀物又は液状の物質をペット容器１０に保管するために漏斗本体２０の上面に物質を供給するとき、エポキシ樹脂及びウレタン粉末を含む緩衝コーティング層２０ａによって衝撃が緩和し、騒音発生及び衝撃による穀物損傷を防止可能になる。
【００４１】
特に、緩衝コーティング層２０ａには摩擦力の低減のためのシリカガラスが含まれるので、物質が漏斗本体２０の表面に付着する現象が防止され、カオリンによってコーティング層の耐久性が向上し得る。
【００４２】
また、カルボキシビニルポリマーはシリコン樹脂の酸化による変色及び変形を防止し、緩衝コーティング層２０ａの弾性力が安定して維持され得る。
【符号の説明】
【００４３】
１０      容器締結具
１０ａ    第１雌ねじ部
１０ｂ    第２雌ねじ部
１１      第２空気流通溝
１２      ガイド溝
１３      着座突段
２０      漏斗本体
２１      第１空気流通溝
２２      ガイド突起
２３      係止突部
１００    ペット容器
【図１】
2020036585.tif 000003
【図２】
2020036585.tif 000004
【図３】
2020036585.tif 000005
【図４】
2020036585.tif 000006
【図５】
2020036585.tif 000007
【図６】
2020036585.tif 000008
【図７】
2020036585.tif 000009
【図８】
2020036585.tif 000010
【図９】
2020036585.tif 000011
【図１０】
2020036585.tif 000012
【図１１】
2020036585.tif 000013
【図１２】
2020036585.tif 000014